(57)【要約】【課題】  色調のばらつきを抑えるために、表示画面の中心部における色調の調整と、端部における色調の調整とをそれぞれ行うことができ、かつ、表示画面全体の色調の調整を容易に行うことができるディスプレイおよびマルチディスプレイシステムを提供する。【解決手段】  矩形の表示画面１１１を備えるディスプレイ１０に、矩形の中心および４つの辺に対して、それぞれ異なる補正係数を設定し、矩形の中心および４つの辺に対して設定した各補正係数から、矩形における、矩形の中心および４つの辺以外の箇所に対する補正係数を算出し、設定した補正係数と算出した補正係数とによって、表示画面１１１に表示すべき画像の色を、矩形に対応する箇所ごとに補正する第２補正部１３６と、第２補正部１３６によって補正された画像を表示画面１１１に表示させる画像表示制御部１３７とを設ける。【選択図】      図２
2013218077.tif 000002
【特許請求の範囲】
【請求項１】
画像が表示される矩形の表示画面と、
前記表示画面に表示すべき画像の色を補正する補正部であって、
前記矩形の中心および４つの辺に対して、それぞれ異なる補正係数を設定する設定部と、
前記矩形の中心および４つの辺に対して設定された各補正係数から、前記矩形における、前記矩形の中心および４つの辺以外の箇所に対する補正係数を算出する算出部と、
前記設定部が設定した補正係数と前記算出部が算出した補正係数とによって、前記表示画面に表示すべき画像の色を、前記矩形に対応する箇所ごとに補正する補正実行部とを含む補正部と、
前記補正部によって補正された画像を前記表示画面に表示させる表示制御部とを備えることを特徴とするディスプレイ。
【請求項２】
前記表示画面は、前記矩形の４つの辺に対応する４つのサブエリアからなり、
前記算出部は、前記サブエリアごとに、該サブエリアに対応する辺および前記矩形の中心に対して設定された各補正係数から、該サブエリアにおける、前記矩形の中心および対応する辺以外の箇所に対する補正係数を算出することを特徴とする請求項１に記載のディスプレイ。
【請求項３】
前記算出部は、前記サブエリアにおける、前記矩形の中心および対応する辺以外の箇所に対する補正係数を、該対応する辺に垂直な方向における位置が異なる箇所ごとに算出することを特徴とする請求項２に記載のディスプレイ。
【請求項４】
前記補正部は、前記方向における前記矩形の中心からの距離と補正係数との対応関係を選択する選択部を含み、
前記算出部は、前記選択部によって選択された対応関係に基づいて、前記サブエリアにおける、前記矩形の中心および対応する辺以外の箇所に対する補正係数を、前記方向における位置が異なる箇所ごとに算出することを特徴とする請求項３に記載のディスプレイ。
【請求項５】
画像が表示される矩形の表示画面を有する複数のディスプレイと、
前記表示画面に表示すべき画像の色を補正する補正部であって、
前記矩形の中心および４つの辺に対して、それぞれ異なる補正係数を設定する設定部と、
前記矩形の中心および４つの辺に対して設定された各補正係数から、前記矩形における、前記矩形の中心および４つの辺以外の箇所に対する補正係数を算出する算出部と、
前記設定部が設定した補正係数と前記算出部が算出した補正係数とによって、前記表示画面に表示すべき画像の色を、前記矩形に対応する箇所ごとに補正する補正実行部とを含む補正部と、
前記補正部によって補正された画像を前記表示画面に表示させる表示制御部とを備えることを特徴とするマルチディスプレイシステム。
【発明の詳細な説明】
【技術分野】
【０００１】
本発明は、ディスプレイおよびマルチディスプレイシステムに関する。
【背景技術】
【０００２】
ディスプレイの分野では、複数のディスプレイを隣接させて接続するマルチディスプレイシステムが知られている。マルチディスプレイシステムは、各ディスプレイの画面に、１つの画像の一部分をそれぞれ表示することで、複数の画面全体に亘って、この１つの画像を拡大して表示することができる。すなわち、マルチディスプレイシステムは、複数の画面からなる大画面に１つの大画像を表示することができる。
【０００３】
各ディスプレイは、一般的に、固有の色調特性を有している。すなわち、各ディスプレイ間には、色調の相違が存在している。したがって、各ディスプレイ間における色調の調整を行わずにマルチディスプレイシステムの大画面に大画像を表示すると、大画像に色調のばらつきが生じ、綺麗な大画像を表示することができない。
【０００４】
このような問題を解決するために、特許文献１には、隣接するディスプレイの画面の端部間において、目視によって色が等しくなるようにカラーパレットからそれぞれ色を選択し、それによって、色の明るさを補正するための補正係数を設定することが記載されている。また、特許文献２には、各ディスプレイについて、色彩計によって画面の中央部の色度を計測し、色度が目標値となるように、色の明るさを補正するための補正係数を設定することが記載されている。
【先行技術文献】
【特許文献】
【０００５】
【特許文献１】特開２００５−１７３３０８号公報
【特許文献２】特開２００８−２９９０６６号公報
【発明の概要】
【発明が解決しようとする課題】
【０００６】
特許文献１，２に記載の方法によれば、ディスプレイの端部間または中央部間の色調を揃えるための補正係数が、画面全体に適用される。しかしながら、ディスプレイの色調特性は、画面内で均一というものではなく、１つのディスプレイの画面内においても色調の相違は存在する。したがって、特許文献１に記載の方法では、隣接するディスプレイの画面の端部間において色調が揃ったとしても、画面の中央部間において色調がばらついてしまう。また、特許文献２に記載の方法では、各ディスプレイの画面の中央部間において色調が揃ったとしても、隣接するディスプレイの画面の端部間において色調がばらついてしまう。
【０００７】
なお、画面の中央部、端部、およびそれ以外の部分について、個別に補正係数を設定すれば、このような問題を解決することは可能である。しかしながら、画面のすべての部分について、個別に補正係数を設定するのには大変な労力を要する。
【０００８】
本発明は、上述した課題を解決するためのものであり、色調のばらつきを抑えるために、表示画面の中心部における色調の調整と、端部における色調の調整とをそれぞれ行うことができ、かつ、表示画面全体の色調の調整を容易に行うことができるディスプレイおよびマルチディスプレイシステムを提供することを目的とする。
【課題を解決するための手段】
【０００９】
本発明は、画像が表示される矩形の表示画面と、
前記表示画面に表示すべき画像の色を補正する補正部であって、
前記矩形の中心および４つの辺に対して、それぞれ異なる補正係数を設定する設定部と、
前記矩形の中心および４つの辺に対して設定された各補正係数から、前記矩形における、前記矩形の中心および４つの辺以外の箇所に対する補正係数を算出する算出部と、
前記設定部が設定した補正係数と前記算出部が算出した補正係数とによって、前記表示画面に表示すべき画像の色を、前記矩形に対応する箇所ごとに補正する補正実行部とを含む補正部と、
前記補正部によって補正された画像を前記表示画面に表示させる表示制御部とを備えることを特徴とするディスプレイである。
【００１０】
また本発明は、前記表示画面は、前記矩形の４つの辺に対応する４つのサブエリアからなり、
前記算出部は、前記サブエリアごとに、該サブエリアに対応する辺および前記矩形の中心に対して設定された各補正係数から、該サブエリアにおける、前記矩形の中心および対応する辺以外の箇所に対する補正係数を算出することを特徴とする。
【００１１】
また本発明は、前記算出部は、前記サブエリアにおける、前記矩形の中心および対応する辺以外の箇所に対する補正係数を、該対応する辺に垂直な方向における位置が異なる箇所ごとに算出することを特徴とする。
【００１２】
また本発明は、前記補正部は、前記方向における前記矩形の中心からの距離と補正係数との対応関係を選択する選択部を含み、
前記算出部は、前記選択部によって選択された対応関係に基づいて、前記サブエリアにおける、前記矩形の中心および対応する辺以外の箇所に対する補正係数を、前記方向における位置が異なる箇所ごとに算出することを特徴とする。
【００１３】
また本発明は、画像が表示される矩形の表示画面を有する複数のディスプレイと、
前記表示画面に表示すべき画像の色を補正する補正部であって、
前記矩形の中心および４つの辺に対して、それぞれ異なる補正係数を設定する設定部と、
前記矩形の中心および４つの辺に対して設定された各補正係数から、前記矩形における、前記矩形の中心および４つの辺以外の箇所に対する補正係数を算出する算出部と、
前記設定部が設定した補正係数と前記算出部が算出した補正係数とによって、前記表示画面に表示すべき画像の色を、前記矩形に対応する箇所ごとに補正する補正実行部とを含む補正部と、
前記補正部によって補正された画像を前記表示画面に表示させる表示制御部とを備えることを特徴とするマルチディスプレイシステムである。
【発明の効果】
【００１４】
本発明によれば、マルチディスプレイシステムを構成する際、各ディスプレイ間の色調のばらつきを抑えるために、表示画面の中心部における色調の調整と、端部における色調の調整とをそれぞれ行うことができる。さらに、算出部によって算出された補正係数によって、中心部と端部との間における色調の調整が行われるので、表示画面全体の色調の調整を容易に行うことができる。
【００１５】
また本発明によれば、算出部はサブエリアごとに補正係数を算出するので、サブエリアごとに色調の調整を行うことができる。
【００１６】
また本発明によれば、表示画面の中心からの距離に応じて補正係数を異ならせることができる。
【００１７】
また本発明によれば、選択部によって表示画面の中心からの距離と補正係数との対応関係を選択し、サブエリアごとに補正係数を算出することができる。
【００１８】
また本発明によれば、各ディスプレイ間の色調のばらつきを抑えるために、表示画面の中心部における色調の調整と、端部における色調の調整とをそれぞれ行うことができる。さらに、算出部によって算出された補正係数によって、中心部と端部との間における色調の調整が行われるので、表示画面全体の色調の調整を容易に行うことができる。
【図面の簡単な説明】
【００１９】
【図１】マルチディスプレイシステム１の外観を模式的に示す図である。
【図２】ディスプレイ１０の構成を示すブロック図である。
【図３】表示画面１１１における４つのサブエリアを示す図である。
【図４】上方向増加パターンキーを示す図である。
【図５】上方向減少パターンキーを示す図である。
【図６】下方向増加パターンキーを示す図である。
【図７】下方向減少パターンキーを示す図である。
【図８】左方向増加パターンキーを示す図である。
【図９】左方向減少パターンキーを示す図である。
【図１０】右方向増加パターンキーを示す図である。
【図１１】右方向減少パターンキーを示す図である。
【図１２】本発明に係る第１補正係数および第２補正係数の設定方法を示すフローチャートである。
【図１３Ａ】ディスプレイ１０Ａの右辺とディスプレイ１０Ｂの左辺との間において、Ｒの明るさにずれがある場合の、ディスプレイ１０Ａの表示画面１１１とディスプレイ１０Ｂの表示画面１１１とを示す図である。
【図１３Ｂ】第２補正係数の調整後のディスプレイ１０Ａの表示画面１１１と、ディスプレイ１０Ｂの表示画面１１１とを示す図である。
【発明を実施するための形態】
【００２０】
以下では、本発明の実施形態であるマルチディスプレイシステム１について説明する。図１は、マルチディスプレイシステム１の外観を模式的に示す図である。マルチディスプレイシステム１は、複数のディスプレイ１０Ａ〜１０Ｉから構成される。図１は、ディスプレイ１０Ａ〜１０Ｉが３行３列に隣接して配置される例を示している。ディスプレイ１０Ａ〜１０Ｉを、特に区別する必要が無い場合には、ディスプレイ１０と称する。
【００２１】
各ディスプレイ１０は、それぞれ、ディスプレイＩＤ「１」〜「９」が設定されている。本実施形態において、ディスプレイＩＤ「１」を設定されるディスプレイ１０がディスプレイ１０Ａであり、ディスプレイＩＤ「２」を設定されるディスプレイ１０がディスプレイ１０Ｂであり、以下同様にして、ディスプレイＩＤ「３」〜「９」が、ディスプレイ１０Ｃ〜１０Ｉに設定される。ディスプレイＩＤが最も小さい「１」であるディスプレイ１０Ａは、他のディスプレイ１０に命令を送信するマスタディスプレイとなり、他のディスプレイ１０Ｂ〜１０Ｉは、マスタディスプレイであるディスプレイ１０Ａからの命令を受信するスレーブディスプレイとなる。
【００２２】
各ディスプレイ１０Ａ〜１０Ｉの画面から構成される１つの大画面に１つの大画像を表示する場合、各ディスプレイ１０Ａ〜１０Ｉには大画面に対応する大画像を表す画像データが入力され、各ディスプレイ１０Ａ〜１０Ｉは、予め設定される、自装置での分割情報および表示すべき部分の位置情報から、自装置で表示すべき画像を抽出して、大画像を分割した各分割画像を表示する。これによって、マルチディスプレイシステム１の大画面に大画像が表示される。
【００２３】
図２は、ディスプレイ１０の構成を示すブロック図である。本実施形態のディスプレイ１０は液晶ディスプレイであり、表示部１１と、バックライトユニット１２と、制御部１３と、通信部１４とを有する。なお、ディスプレイ１０は、プラズマディスプレイなどでもよい。
【００２４】
通信部１４は、ディスプレイ１０の外部の機器との間で通信を行うための通信手段であり、通信部１４を介して外部の機器から画像データが入力されることになる。外部の機器としては、マルチディスプレイシステム１を構成する他のディスプレイ１０や、ＰＣ（Personal Computer）などが挙げられる。
【００２５】
通信部１４は、画像データの送受信用の通信ケーブルが接続される映像入力端子１４１および映像出力端子１４２と、ディスプレイ１０に対する命令などの、画像データ以外の情報の送受信用の通信ケーブルが接続される上流側端子１４３および下流側端子１４４とを含む。画像データや命令の送受信用の通信ケーブルの規格としては、ＲＳ２３２Ｃや、Ｉ２Ｃ、ＳＰＩなどが挙げられる。
【００２６】
ディスプレイ１０Ａの下流側端子１４４とディスプレイ１０Ｂの上流側端子１４３とが通信ケーブルで接続され、ディスプレイ１０Ｂの下流側端子１４４とディスプレイ１０Ｃの上流側端子１４３とが通信ケーブルで接続され、ディスプレイ１０Ｃの下流側端子１４４とディスプレイ１０Ｄの上流側端子１４３とが通信ケーブルで接続される。以下、ディスプレイ１０Ｅ〜１０Ｉも同様に接続される。１つの通信ケーブルで接続される２つのディスプレイ１０のうち、この通信ケーブルが下流側端子１４４に接続されるディスプレイ１０を、上流側のディスプレイ１０と称し、この通信ケーブルが上流側端子１４３に接続されるディスプレイ１０を、下流側のディスプレイ１０と称する。したがって、ディスプレイ１０Ａは最も上流側のディスプレイ１０となり、ディスプレイ１０Ｉは最も下流側のディスプレイ１０となる。各ディスプレイ１０には、上流側から順に、「１」〜「９」のディスプレイＩＤが割り振られる。
【００２７】
あるディスプレイ１０の映像出力端子１４２に対して、そのディスプレイ１０よりも１つ下流側のディスプレイ１０の映像入力端子１４１が、１つの通信ケーブルで接続される。最上流のディスプレイ１０Ａは、外部の機器から入力画像データが送信され、この入力画像データを取得し、この入力画像データを、映像出力端子１４２に接続される通信ケーブルを介して、下流側のディスプレイ１０Ｂへ送信する。ディスプレイ１０Ｂも同様にして、この入力画像データを取得し、この入力画像データを、映像出力端子１４２に接続される通信ケーブルを介して、下流側のディスプレイ１０Ｃへ送信する。以下同様にして、ディスプレイ１０Ｃ〜１０Ｈは、この入力画像データを取得し、この入力画像データを、映像出力端子１４２に接続される通信ケーブルを介して、下流側のディスプレイ１０へ送信する。最下流のディスプレイ１０Ｉも同様にして、この入力画像データを取得する。このようにして、各ディスプレイ１０は、同一の入力画像データを取得する。各ディスプレイ１０は、上記のようにして割り振られたＩＤや、予め設定される、自装置での分割情報および表示すべき部分の位置情報に基づいて、入力画像データによって表される大画像から自装置で表示すべき分割画像を抽出し、その分割画像を表す分割画像データに基づいて、各分割画像を表示する。
【００２８】
表示部１１は、画像が表示される矩形の表示画面１１１を有する液晶表示パネルである。液晶表示パネルは、画素電極および画素電極と電気的に接続された薄膜トランジスタを有するアレイ基板、共通電極およびカラーフィルタを有するカラーフィルタ基板、ならびに、アレイ基板とカラーフィルタ基板との間に介在する液晶層を含む。液晶層は、制御部１３によって、画素電極と共通電極との間に形成される電場が制御されることで画素ごとに配列が変更され、これによって、画素ごとに液晶層を透過する光の透過率が変更される。たとえば、液晶層の光の透過率を大きくすると、その液晶層に対応する画素は明るい色、すなわち階調値の大きな色を出力し、液晶層の光の透過率を小さくすると、その液晶層に対応する画素は暗い色、すなわち階調値の小さな色を出力する。
【００２９】
バックライトユニット１２は、表示部１１の表示画面１１１とは反対側、すなわち背面側に配置され、背面側から表示部１１に光を照射することで表示画面１１１に画像を表示させる発光装置である。バックライトユニット１２は、パルス幅変調方式によって出射する光の明るさが制御される１または複数の発光部を含む。発光部は、たとえば、発光ダイオード（Light Emitting Diode，ＬＥＤ）であり、制御部１３によって、印加される周期的なパルス波のデューティー比が制御される。たとえば、デューティー比を大きくすると、発光部は、１周期平均において明るい光を出射することになり、デューティー比を小さくすると、発光部は、１周期平均において暗い光を出射することになる。
【００３０】
制御部１３は、表示部１１、バックライトユニット１２、および通信部１４に電気的に接続され、通信部１４を介して取得した入力画像データに基づいて、表示部１１およびバックライトユニット１２を制御して、表示画面に画像を表示させる。制御部１３は、ＣＰＵ（Central Processing Unit）などの制御演算回路と、ＤＤＲ  ＳＤＲＡＭ（Double Data Rate Synchronous Dynamic Random Access Memory）などの揮発性メモリ、および、フラッシュＲＯＭ（Read Only Memory）、ＥＥＰＲＯＭ（登録商標）、ＨＤＤ（Hard Disk Drive）などの不揮発性メモリを含む記憶回路とから構成される。記憶回路には、上述したディスプレイＩＤが記憶される。
【００３１】
このように構成されるディスプレイ１０において、制御部１３は、色調調整選択部１３１、調整対象色選択部１３２、サンプル画像表示制御部１３３、補正方法選択部１３４、第１補正部１３５、第２補正部１３６、および画像表示制御部１３７として機能し、これらの機能によって、各ディスプレイ１０における色調を調整して画像を表示する。なお、本実施形態では、各ディスプレイ１０の制御部１３が、これらの各部１３１〜１３７としてそれぞれ機能するが、マスタディスプレイであるディスプレイ１０Ａの制御部１３のみが、これらの各部１３１〜１３７として機能してもよいし、各ディスプレイ１０以外の、マルチディスプレイシステム１に含まれる機器が、これらの各部１３１〜１３７として機能してもよい。
【００３２】
色調調整選択部１３１は、色調の調整対象のディスプレイ１０（対象ディスプレイ１０）に対するリモートコントローラなどの操作によって、対象ディスプレイ１０の表示画面１１１に色調調整キーを表示させる。そして、色調調整選択部１３１は、リモートコントローラなどの操作によって色調調整キーが選択されると、色調調整キーが選択されたことを示す情報を、調整対象色選択部１３２に入力する。
【００３３】
調整対象色選択部１３２は、色調調整キーが選択されたことを示す情報が入力されると、対象ディスプレイ１０の表示画面１１１に色選択キーを表示させる。画素の色を、赤（Ｒ）、緑（Ｇ）、青（Ｂ）の重ね合わせで表す場合、調整対象色選択部１３２は、Ｒに対応する赤色選択キー、Ｇに対応する緑色選択キー、およびＢに対応する青色選択キーの、３つの色選択キーを表示させる。そして、調整対象色選択部１３２は、リモートコントローラなどの操作によっていずれか１つの色選択キーが選択されると、選択された色選択キーを示す情報を、サンプル画像表示制御部１３３および補正方法選択部１３４に入力する。
【００３４】
サンプル画像表示制御部１３３は、色選択キーを示す情報が入力されると、色選択キーに対応する色を調整するためのサンプルとなる画像（サンプル画像）を、各ディスプレイ１０の表示画面１１１に表示させる。サンプル画像は、全画面赤色の入力画像データ、全画面緑色の入力画像データ、全画面青色の入力画像データ、または全画面白色の入力画像データに基づいて表示される。各色の階調値を０以上２５５以下の整数による２５６階調で表すとき、全画面赤色の入力画像データは、すべての画素の階調値を（Ｒ，Ｇ，Ｂ）＝（２５５，０，０）とする入力画像データであり、全画面緑色の入力画像データは、すべての画素の階調値を（Ｒ，Ｇ，Ｂ）＝（０，２５５，０）とする入力画像データであり、全画面青色の入力画像データは、すべての画素の階調値を（Ｒ，Ｇ，Ｂ）＝（０，０，２５５）とする入力画像データであり、全画面白色の入力画像データは、すべての画素の階調値を（Ｒ，Ｇ，Ｂ）＝（２５５，２５５，２５５）とする入力画像データである。サンプル画像表示制御部１３３は、このような入力画像データに対して、従来公知の種々の補正や、後述する第１補正係数および第２補正係数による補正を行って、サンプル画像を表示させる。
【００３５】
補正方法選択部１３４は、色選択キーを示す情報が入力されると、対象ディスプレイ１０の表示画面１１１に第１補正選択キーおよび第２補正選択キーを表示させる。そして、補正方法選択部１３４は、リモートコントローラなどの操作によって第１補正選択キーが選択されると、第１補正選択キーが選択されたことを示す情報および色選択キーを示す情報を第１補正部１３５に入力し、第２補正選択キーが選択されると、第２補正選択キーが選択されたことを示す情報および色選択キーを示す情報を第２補正部１３６に入力する。
【００３６】
第１補正部１３５は、他のディスプレイ１０との間で色調を整合させるなどのために、対象ディスプレイ１０の表示画面１１１全体の色調を変更する。具体的には、ＲＧＢの色ごとに、各画素に共通の第１補正係数をそれぞれ設定し、第１補正部１３５に入力された入力画像データの各画素の階調値に対して、その第１補正係数を乗じることで、その入力画像データを補正する。
【００３７】
たとえば、Ｒについての第１補正係数が１２０％であり、Ｇについての第１補正係数が１００％であり、Ｂについての第１補正係数が９０％である場合において、入力画像データの画素Ａにおける階調値が（Ｒ，Ｇ，Ｂ）＝（１２０，１００，４０）であり、画素Ｂにおける階調値が（Ｒ，Ｇ，Ｂ）＝（２０，４０，８０）であり、画素Ｃにおける階調値が（Ｒ，Ｇ，Ｂ）＝（１０，２０，１０）であるとき、第１補正部による補正（第１補正）後の画像データの画素Ａにおける階調値は（Ｒ，Ｇ，Ｂ）＝（１４４，１００，３６）となり、画素Ｂにおける階調値は（Ｒ，Ｇ，Ｂ）＝（２４，４０，７２）となり、画素Ｃにおける階調値は（Ｒ，Ｇ，Ｂ）＝（１２，２０，９）となる。
【００３８】
なお、第１補正係数を乗じると階調値が２５５を超える場合、第１補正部１３５は、第１補正後の階調値を２５５とする。また、第１補正部１３５は、切捨て、切上げ、または四捨五入によって、階調値に小数点以下の値が生じないようにする。
【００３９】
第１補正係数は、初期設定では、ＲＧＢともに１００％であり、ユーザによって変更可能である。第１補正部１３５は、第１補正選択キーが選択されたことを示す情報および色選択キーを示す情報が入力されると、対象ディスプレイ１０の表示画面１１１に第１補正係数増加キーおよび第１補正係数減少キーを表示させる。そして、第１補正部１３５は、リモートコントローラなどの操作によって第１補正係数増加キーが選択されると、色選択キーに対応する色の第１補正係数を１％増加させて設定し、第１補正係数減少キーが選択されると、色選択キーに対応する色の第１補正係数を１％減少させて設定する。たとえば、ユーザは、対象ディスプレイ１０の表示画面１１１全体について赤みを強くしたい場合には、リモートコントローラなどの操作によって、Ｒの第１補正係数を大きく設定し、青みを弱くしたい場合には、Ｂの第１補正係数を小さく設定する。
【００４０】
第２補正部１３６は、他のディスプレイ１０との間で色調を整合させるために、対象ディスプレイ１０の表示画面１１１のサブエリアごとに色調を変更する。具体的には、サブエリアごとおよびＲＧＢの色ごとに、第２補正係数をそれぞれ設定し、第２補正部１３６に入力された入力画像データの各画素の階調値に対して、その第２補正係数を乗じることで、その入力画像データを補正する。
【００４１】
サブエリアは、上エリア、下エリア、左エリア、および右エリアの４つである。図３に、表示画面１１１におけるこの４つのサブエリアを示す。図３に示すように、矩形の表示画面１１１を２つの対角線で仮想的に４分割して、サブエリア１１１Ａ〜１１１Ｄとするとき、上辺を含むサブエリア１１１Ａが上エリアであり、下辺を含むサブエリア１１１Ｂが下エリアであり、左辺を含むサブエリア１１１Ｃが左エリアであり、右辺を含むサブエリア１１１Ｄが右エリアである。なお、２つの対角線上の画素は、いずれか１つのサブエリア１１１Ａ〜１１１Ｄに含まれるとする。
【００４２】
第２補正部１３６は、調整対象サブエリア選択部１３６１と、上エリア補正部１３６２と、下エリア補正部１３６３と、左エリア補正部１３６４と、右エリア補正部１３６５とを含む。調整対象サブエリア選択部１３６１は、対象ディスプレイ１０の、調整対象となるサブエリアをユーザに選択させる。たとえば、調整対象サブエリア選択部１３６１は、第２補正選択キーが選択されたことを示す情報が入力されると、対象ディスプレイ１０の表示画面１１１に、上エリア選択キー、下エリア選択キー、左エリア選択キー、および右エリア選択キーを表示させ、リモートコントローラなどの操作によって上エリア選択キーが選択されると、上エリア選択キーが選択されたことを示す情報を上エリア補正部１３６２に入力し、下エリア選択キーが選択されると、下エリア選択キーが選択されたことを示す情報を下エリア補正部１３６３に入力し、左エリア選択キーが選択されると、左エリア選択キーが選択されたことを示す情報を左エリア補正部１３６４に入力し、右エリア選択キーが選択されると、右エリア選択キーが選択されたことを示す情報を右エリア補正部１３６５に入力する。
【００４３】
上エリア補正部１３６２は、上方向増減選択部１３６２１と、上方向増加パターン選択部１３６２２と、上方向減少パターン選択部１３６２３と、上辺第２補正係数設定変更部１３６２４と、上エリア第２補正係数設定変更部１３６２５と、上エリア補正実行部１３６２６とを含む。
【００４４】
上方向増減選択部１３６２１は、表示画面１１１の縦方向において、中心画素から上辺に向かうにつれて第２補正係数を増加させるか減少させるかを、ユーザに選択させる。たとえば、上方向増減選択部１３６２１は、上エリア選択キーが選択されたことを示す情報が入力されると、対象ディスプレイ１０の表示画面１１１の上エリア以外に、上方向増加選択キーおよび上方向減少選択キーを表示させ、リモートコントローラなどの操作によって上方向増加選択キーが選択されると、上方向増加選択キーが選択されたことを示す情報を上方向増加パターン選択部１３６２２に入力し、上方向減少選択キーが選択されると、上方向減少選択キーが選択されたことを示す情報を上方向減少パターン選択部１３６２３に入力する。
【００４５】
上方向増加パターン選択部１３６２２は、上エリア内で中心画素から上辺に向かうにつれて第２補正係数を増加させるときの増加のパターン（上方向増加パターン）を、ユーザに選択させる。本実施形態では、上方向第１増加パターン、上方向第２増加パターン、上方向第３増加パターン、および上方向第４増加パターンのうちから１つの上方向増加パターンを選択可能である。
【００４６】
上方向第１増加パターンは、中心画素からの縦方向における距離に比例して第２補正係数を増加させるパターンである。上方向第２増加パターンは、中心画素近傍領域内の画素については中心画素と同じ第２補正係数とし、上エリア内の他の画素については中心画素近傍領域内で最も上の画素からの縦方向における距離に比例して第２補正係数を増加させるパターンである。ここで、中心画素近傍領域とは、上エリア内において中心画素からの縦方向における距離が、所定の長さ（たとえば表示画面１１１の縦方向長さの１０％〜２０％）以下となる領域である。上方向第３増加パターンは、縦方向において中心画素から上辺近傍領域内で最も下の画素までの間にある画素については、中心画素からの縦方向における距離に比例して第２補正係数を増加させ、上辺近傍領域内の画素については上辺近傍領域内で最も下の画素と同じ第２補正係数とするパターンである。ここで、上辺近傍領域とは、上エリア内において上辺からの縦方向における距離が、所定の長さ（たとえば表示画面１１１の縦方向長さの１０％〜２０％）以下となる領域である。上方向第４増加パターンは、中心画素近傍領域内の画素については中心画素と同じ第２補正係数とし、縦方向において中心画素近傍領域内で最も上の画素から上辺近傍領域内で最も下の画素までの間にある画素については、中心画素近傍領域内で最も上の画素からの縦方向における距離に比例して第２補正係数を増加させ、上辺近傍領域内の画素については上辺近傍領域内で最も下の画素と同じ第２補正係数とするパターンである。
【００４７】
上方向増加パターン選択部１３６２２は、上方向増加選択キーが選択されたことを示す情報が入力されると、対象ディスプレイ１０の表示画面１１１の上エリア以外に、上記の４つの上方向増加パターンに対応する上方向増加パターンキーを表示させる。図４に、上方向増加パターンキーを示す。図４のキー２１は、上方向第１増加パターンに対応する上方向第１増加パターンキーであり、キー２２は、上方向第２増加パターンに対応する上方向第２増加パターンキーであり、キー２３は、上方向第３増加パターンに対応する上方向第３増加パターンキーであり、キー２４は、上方向第４増加パターンに対応する上方向第４増加パターンキーである。
【００４８】
上方向増加パターン選択部１３６２２は、リモートコントローラなどの操作によっていずれか１つの上方向増加パターンキーが選択されると、選択された上方向増加パターンキーを示す情報を、上辺第２補正係数設定変更部１３６２４および上エリア第２補正係数設定変更部１３６２５に入力する。
【００４９】
上方向減少パターン選択部１３６２３は、上エリア内で中心画素から上辺に向かうにつれて第２補正係数を減少させるときの減少のパターン（上方向減少パターン）を、ユーザに選択させる。本実施形態では、上方向第１減少パターン、上方向第２減少パターン、上方向第３減少パターン、および上方向第４減少パターンのうちから１つの上方向減少パターンを選択可能である。
【００５０】
上方向第１減少パターンは、中心画素からの縦方向における距離に比例して第２補正係数を減少させるパターンである。上方向第２減少パターンは、中心画素近傍領域内の画素については中心画素と同じ第２補正係数とし、上エリア内の他の画素については中心画素近傍領域内で最も上の画素からの縦方向における距離に比例して第２補正係数を減少させるパターンである。上方向第３減少パターンは、縦方向において中心画素から上辺近傍領域内で最も下の画素までの間にある画素については、中心画素からの縦方向における距離に比例して第２補正係数を減少させ、上辺近傍領域内の画素については上辺近傍領域内で最も下の画素と同じ第２補正係数とするパターンである。上方向第４減少パターンは、中心画素近傍領域内の画素については中心画素と同じ第２補正係数とし、縦方向において中心画素近傍領域内で最も上の画素から上辺近傍領域内で最も下の画素までの間にある画素については、中心画素近傍領域内で最も上の画素からの縦方向における距離に比例して第２補正係数を減少させ、上辺近傍領域内の画素については上辺近傍領域内で最も下の画素と同じ第２補正係数とするパターンである。
【００５１】
上方向減少パターン選択部１３６２３は、上方向減少選択キーが選択されたことを示す情報が入力されると、対象ディスプレイ１０の表示画面１１１の上エリア以外に、上記の４つの上方向減少パターンに対応する上方向減少パターンキーを表示させる。図５に、上方向減少パターンキーを示す。図５のキー２５は、上方向第１減少パターンに対応する上方向第１減少パターンキーであり、キー２６は、上方向第２減少パターンに対応する上方向第２減少パターンキーであり、キー２７は、上方向第３減少パターンに対応する上方向第３減少パターンキーであり、キー２８は、上方向第４減少パターンに対応する上方向第４減少パターンキーである。
【００５２】
上方向減少パターン選択部１３６２３は、リモートコントローラなどの操作によっていずれか１つの上方向減少パターンキーが選択されると、選択された上方向減少パターンキーを示す情報を、上辺第２補正係数設定変更部１３６２４および上エリア第２補正係数設定変更部１３６２５に入力する。
【００５３】
上辺第２補正係数設定変更部１３６２４は、上辺の各画素について共通の第２補正係数を、ユーザに設定させる。たとえば、上辺第２補正係数設定変更部１３６２４は、上方向増加パターンキーを示す情報または上方向減少パターンキーを示す情報が入力されると、対象ディスプレイ１０の表示画面１１１の上エリア以外に、上辺第２補正係数増加キーおよび上辺第２補正係数減少キーを表示させる。そして、リモートコントローラなどの操作によって上辺第２補正係数増加キーが選択されると、第２補正部に入力された色選択キーを示す情報に対応する色の第２補正係数を１％増加させて設定し、上辺第２補正係数減少キーが選択されると、その色の第２補正係数を１％減少させて設定する。
【００５４】
上エリアに含まれる上辺の各画素に共通の第２補正係数は、初期設定では１００％である。上辺第２補正係数設定変更部１３６２４は、上方向増加パターンキーを示す情報が入力されている場合には、１００％以上２００％以下の範囲内で、第２補正係数を設定可能とし、上方向減少パターンキーを示す情報が入力されている場合には、１％以上１００％以下の範囲内で、第２補正係数を設定可能とする。
【００５５】
上エリア第２補正係数設定変更部１３６２５は、上エリアにおける上辺以外の画素についての、第２補正部１３６に入力された色選択キーを示す情報に対応する色の第２補正係数を算出し、設定する。具体的には、上エリア第２補正係数設定変更部１３６２５は、上方向増加パターンキーを示す情報または上方向減少パターンキーを示す情報、および、上辺についての第２補正係数の設定に基づいて、中心についての第２補正係数を１００％として、上エリアにおける上辺以外の画素についての第２補正係数を算出し、設定する。
【００５６】
たとえば、第２補正部１３６に入力された色選択キーを示す情報に対応する色がＲであり、上エリア第２補正係数設定変更部１３６２５に上方向第１増加パターンキーを示す情報が入力され、上辺についての第２補正係数が１３０％に設定された場合において、表示画面１１１の縦方向における画素数が７６８であり、表示画面１１１の中心から上辺までの縦方向における画素数が３８４であり、中心から上辺に向かって縦方向においてｋ（ｋは１以上３８４以下の整数）番目の画素についてのＲの第２補正係数をＵＲｋとするとき、ＵＲ１は１００％であり、ＵＲ３８４は１３０％である。そして、ＵＲｋは、（１３０−１００）／３８３×（ｋ−１）＋１００［％］となる。なお、上辺についての第２補正係数が１００％に設定された場合は、上エリアのすべての画素について、第２補正係数は１００％に設定されることになる。
【００５７】
上エリア補正実行部１３６２６は、上エリア補正実行部１３６２６に入力された入力画像データに対して、上辺第２補正係数設定変更部１３６２４および上エリア第２補正係数設定変更部１３６２５で設定された第２補正係数に基づいて補正（第２補正）を行う。第２補正は、入力画像データの上エリアに対応する各画素の各色の階調値に、第２補正係数を乗じることによって行われる。なお、第２補正係数を乗じると階調値が２５５を超える場合、上エリア補正実行部１３６２６は、第２補正後の階調値を２５５とする。また、上エリア補正実行部１３６２６は、切捨て、切上げ、または四捨五入によって、階調値に小数点以下の値が生じないようにする。
【００５８】
下エリア補正部１３６３は、下方向増減選択部１３６３１と、下方向増加パターン選択部１３６３２と、下方向減少パターン選択部１３６３３と、下辺第２補正係数設定変更部１３６３４と、下エリア第２補正係数設定変更部１３６３５と、下エリア補正実行部１３６３６とを含む。
【００５９】
下方向増減選択部１３６３１は、表示画面１１１の縦方向において、中心画素から下辺に向かうにつれて第２補正係数を増加させるか減少させるかを、ユーザに選択させる。たとえば、下方向増減選択部１３６３１は、下エリア選択キーが選択されたことを示す情報が入力されると、対象ディスプレイ１０の表示画面１１１の下エリア以外に、下方向増加選択キーおよび下方向減少選択キーを表示させ、リモートコントローラなどの操作によって下方向増加選択キーが選択されると、下方向増加選択キーが選択されたことを示す情報を下方向増加パターン選択部１３６３２に入力し、下方向減少選択キーが選択されると、下方向減少選択キーが選択されたことを示す情報を下方向減少パターン選択部１３６３３に入力する。
【００６０】
下方向増加パターン選択部１３６３２は、下エリア内で中心画素から下辺に向かうにつれて第２補正係数を増加させるときの増加のパターン（下方向増加パターン）を、ユーザに選択させる。本実施形態では、下方向第１増加パターン、下方向第２増加パターン、下方向第３増加パターン、および下方向第４増加パターンのうちから１つの下方向増加パターンを選択可能である。
【００６１】
下方向第１増加パターンは、中心画素からの縦方向における距離に比例して第２補正係数を増加させるパターンである。下方向第２増加パターンは、中心画素近傍領域内の画素については中心画素と同じ第２補正係数とし、下エリア内の他の画素については中心画素近傍領域内で最も下の画素からの縦方向における距離に比例して第２補正係数を増加させるパターンである。ここで、中心画素近傍領域とは、下エリア内において中心画素からの縦方向における距離が、所定の長さ（たとえば表示画面１１１の縦方向長さの１０％〜２０％）以下となる領域である。下方向第３増加パターンは、縦方向において中心画素から下辺近傍領域内で最も上の画素までの間にある画素については、中心画素からの縦方向における距離に比例して第２補正係数を増加させ、下辺近傍領域内の画素については下辺近傍領域内で最も上の画素と同じ第２補正係数とするパターンである。ここで、下辺近傍領域とは、下エリア内において下辺からの縦方向における距離が、所定の長さ（たとえば表示画面１１１の縦方向長さの１０％〜２０％）以下となる領域である。下方向第４増加パターンは、中心画素近傍領域内の画素については中心画素と同じ第２補正係数とし、縦方向において中心画素近傍領域内で最も下の画素から下辺近傍領域内で最も上の画素までの間にある画素については、中心画素近傍領域内で最も下の画素からの縦方向における距離に比例して第２補正係数を増加させ、下辺近傍領域内の画素については下辺近傍領域内で最も上の画素と同じ第２補正係数とするパターンである。
【００６２】
下方向増加パターン選択部１３６３２は、下方向増加選択キーが選択されたことを示す情報が入力されると、対象ディスプレイ１０の表示画面１１１の下エリア以外に、上記の４つの下方向増加パターンに対応する下方向増加パターンキーを表示させる。図６に、下方向増加パターンキーを示す。図６のキー３１は、下方向第１増加パターンに対応する下方向第１増加パターンキーであり、キー３２は、下方向第２増加パターンに対応する下方向第２増加パターンキーであり、キー３３は、下方向第３増加パターンに対応する下方向第３増加パターンキーであり、キー３４は、下方向第４増加パターンに対応する下方向第４増加パターンキーである。
【００６３】
下方向増加パターン選択部１３６３２は、リモートコントローラなどの操作によっていずれか１つの下方向増加パターンキーが選択されると、選択された下方向増加パターンキーを示す情報を、下辺第２補正係数設定変更部１３６３４および下エリア第２補正係数設定変更部１３６３５に入力する。
【００６４】
下方向減少パターン選択部１３６３３は、下エリア内で中心画素から下辺に向かうにつれて第２補正係数を減少させるときの減少のパターン（下方向減少パターン）を、ユーザに選択させる。本実施形態では、下方向第１減少パターン、下方向第２減少パターン、下方向第３減少パターン、および下方向第４減少パターンのうちから１つの下方向減少パターンを選択可能である。
【００６５】
下方向第１減少パターンは、中心画素からの縦方向における距離に比例して第２補正係数を減少させるパターンである。下方向第２減少パターンは、中心画素近傍領域内の画素については中心画素と同じ第２補正係数とし、下エリア内の他の画素については中心画素近傍領域内で最も下の画素からの縦方向における距離に比例して第２補正係数を減少させるパターンである。下方向第３減少パターンは、縦方向において中心画素から下辺近傍領域内で最も上の画素までの間にある画素については、中心画素からの縦方向における距離に比例して第２補正係数を減少させ、下辺近傍領域内の画素については下辺近傍領域内で最も上の画素と同じ第２補正係数とするパターンである。下方向第４減少パターンは、中心画素近傍領域内の画素については中心画素と同じ第２補正係数とし、縦方向において中心画素近傍領域内で最も下の画素から下辺近傍領域内で最も上の画素までの間にある画素については、中心画素近傍領域内で最も下の画素からの縦方向における距離に比例して第２補正係数を減少させ、下辺近傍領域内の画素については下辺近傍領域内で最も上の画素と同じ第２補正係数とするパターンである。
【００６６】
下方向減少パターン選択部１３６３３は、下方向減少選択キーが選択されたことを示す情報が入力されると、対象ディスプレイ１０の表示画面１１１の下エリア以外に、上記の４つの下方向減少パターンに対応する下方向減少パターンキーを表示させる。図７に、下方向減少パターンキーを示す。図７のキー３５は、下方向第１減少パターンに対応する下方向第１減少パターンキーであり、キー３６は、下方向第２減少パターンに対応する下方向第２減少パターンキーであり、キー３７は、下方向第３減少パターンに対応する下方向第３減少パターンキーであり、キー３８は、下方向第４減少パターンに対応する下方向第４減少パターンキーである。
【００６７】
下方向減少パターン選択部１３６３３は、リモートコントローラなどの操作によっていずれか１つの下方向減少パターンキーが選択されると、選択された下方向減少パターンキーを示す情報を、下辺第２補正係数設定変更部１３６３４および下エリア第２補正係数設定変更部１３６３５に入力する。
【００６８】
下辺第２補正係数設定変更部１３６３４は、下辺の各画素について共通の第２補正係数を、ユーザに設定させる。たとえば、下辺第２補正係数設定変更部１３６３４は、下方向増加パターンキーを示す情報または下方向減少パターンキーを示す情報が入力されると、対象ディスプレイ１０の表示画面１１１の下エリア以外に、下辺第２補正係数増加キーおよび下辺第２補正係数減少キーを表示させる。そして、リモートコントローラなどの操作によって下辺第２補正係数増加キーが選択されると、第２補正部１３６に入力された色選択キーを示す情報に対応する色の第２補正係数を１％増加させて設定し、下辺第２補正係数減少キーが選択されると、その色の第２補正係数を１％減少させて設定する。
【００６９】
下エリアに含まれる下辺の各画素に共通の第２補正係数は、初期設定では１００％である。下辺第２補正係数設定変更部１３６３４は、下方向増加パターンキーを示す情報が入力されている場合には、１００％以上２００％以下の範囲内で、第２補正係数を設定可能とし、下方向減少パターンキーを示す情報が入力されている場合には、１％以上１００％以下の範囲内で、第２補正係数を設定可能とする。
【００７０】
下エリア第２補正係数設定変更部１３６３５は、下エリアにおける下辺以外の画素についての、第２補正部１３６に入力された色選択キーを示す情報に対応する色の第２補正係数を算出し、設定する。具体的には、下エリア第２補正係数設定変更部１３６３５は、下方向増加パターンキーを示す情報または下方向減少パターンキーを示す情報、および、下辺についての第２補正係数の設定に基づいて、中心についての第２補正係数を１００％に設定して、下エリアにおける下辺以外の画素についての第２補正係数を算出し、設定する。
【００７１】
たとえば、第２補正部１３６に入力された色選択キーを示す情報に対応する色がＲであり、下エリア第２補正係数設定変更部１３６３５に下方向第１増加パターンキーを示す情報が入力され、下辺についての第２補正係数が１５０％に設定された場合において、表示画面１１１の縦方向における画素数が７６８であり、表示画面１１１の中心から下辺までの縦方向における画素数が３８４であり、中心から下辺に向かって縦方向においてｋ（ｋは１以上３８４以下の整数）番目の画素についてのＲの第２補正係数をＤＲｋとするとき、ＤＲ１は１００％であり、ＤＲ３８４は１５０％である。そして、ＤＲｋは、（１５０−１００）／３８３×（ｋ−１）＋１００［％］となる。なお、下辺についての第２補正係数が１００％に設定された場合は、下エリアのすべての画素について、第２補正係数は１００％に設定されることになる。
【００７２】
下エリア補正実行部１３６３６は、下エリア補正実行部１３６３６に入力された入力画像データに対して、下辺第２補正係数設定変更部１３６３４および下エリア第２補正係数設定変更部１３６３５で設定された第２補正係数に基づいて補正（第２補正）を行う。第２補正は、入力画像データの下エリアに対応する各画素の各色の階調値に、第２補正係数を乗じることによって行われる。なお、第２補正係数を乗じると階調値が２５５を超える場合、下エリア補正実行部１３６３６は、第２補正後の階調値を２５５とする。また、下エリア補正実行部１３６３６は、切捨て、切上げ、または四捨五入によって、階調値に小数点以下の値が生じないようにする。
【００７３】
左エリア補正部１３６４は、左方向増減選択部１３６４１と、左方向増加パターン選択部１３６４２と、左方向減少パターン選択部１３６４３と、左辺第２補正係数設定変更部１３６４４と、左エリア第２補正係数設定変更部１３６４５と、左エリア補正実行部１３６４６とを含む。
【００７４】
左方向増減選択部１３６４１は、表示画面１１１の横方向において、中心画素から左辺に向かうにつれて第２補正係数を増加させるか減少させるかを、ユーザに選択させる。たとえば、左方向増減選択部１３６４１は、左エリア選択キーが選択されたことを示す情報が入力されると、対象ディスプレイ１０の表示画面１１１の左エリア以外に、左方向増加選択キーおよび左方向減少選択キーを表示させ、リモートコントローラなどの操作によって左方向増加選択キーが選択されると、左方向増加選択キーが選択されたことを示す情報を左方向増加パターン選択部１３６４２に入力し、左方向減少選択キーが選択されると、左方向減少選択キーが選択されたことを示す情報を左方向減少パターン選択部１３６４３に入力する。
【００７５】
左方向増加パターン選択部１３６４２は、左エリア内で中心画素から左辺に向かうにつれて第２補正係数を増加させるときの増加のパターン（左方向増加パターン）を、ユーザに選択させる。本実施形態では、左方向第１増加パターン、左方向第２増加パターン、左方向第３増加パターン、および左方向第４増加パターンのうちから１つの左方向増加パターンを選択可能である。
【００７６】
左方向第１増加パターンは、中心画素からの横方向における距離に比例して第２補正係数を増加させるパターンである。左方向第２増加パターンは、中心画素近傍領域内の画素については中心画素と同じ第２補正係数とし、左エリア内の他の画素については中心画素近傍領域内で最も左の画素からの横方向における距離に比例して第２補正係数を増加させるパターンである。ここで、中心画素近傍領域とは、左エリア内において中心画素からの横方向における距離が、所定の長さ（たとえば表示画面１１１の横方向長さの１０％〜２０％）以下となる領域である。左方向第３増加パターンは、横方向において中心画素から左辺近傍領域内で最も右の画素までの間にある画素については、中心画素からの横方向における距離に比例して第２補正係数を増加させ、左辺近傍領域内の画素については左辺近傍領域内で最も右の画素と同じ第２補正係数とするパターンである。ここで、左辺近傍領域とは、左エリア内において左辺からの横方向における距離が、所定の長さ（たとえば表示画面１１１の縦方向長さの１０％〜２０％）以下となる領域である。左方向第４増加パターンは、中心画素近傍領域内の画素については中心画素と同じ第２補正係数とし、横方向において中心画素近傍領域内で最も左の画素から左辺近傍領域内で最も右の画素までの間にある画素については、中心画素近傍領域内で最も左の画素からの横方向における距離に比例して第２補正係数を増加させ、左辺近傍領域内の画素については左辺近傍領域内で最も右の画素と同じ第２補正係数とするパターンである。
【００７７】
左方向増加パターン選択部１３６４２は、左方向増加選択キーが選択されたことを示す情報が入力されると、対象ディスプレイ１０の表示画面１１１の左エリア以外に、上記の４つの左方向増加パターンに対応する左方向増加パターンキーを表示させる。図８に、左方向増加パターンキーを示す。図８のキー４１は、左方向第１増加パターンに対応する左方向第１増加パターンキーであり、キー４２は、左方向第２増加パターンに対応する左方向第２増加パターンキーであり、キー４３は、左方向第３増加パターンに対応する左方向第３増加パターンキーであり、キー４４は、左方向第４増加パターンに対応する左方向第４増加パターンキーである。
【００７８】
左方向増加パターン選択部１３６４２は、リモートコントローラなどの操作によっていずれか１つの左方向増加パターンキーが選択されると、選択された左方向増加パターンキーを示す情報を、左辺第２補正係数設定変更部１３６４４および左エリア第２補正係数設定変更部１３６４５に入力する。
【００７９】
左方向減少パターン選択部１３６４３は、左エリア内で中心画素から左辺に向かうにつれて第２補正係数を減少させるときの減少のパターン（左方向減少パターン）を、ユーザに選択させる。本実施形態では、左方向第１減少パターン、左方向第２減少パターン、左方向第３減少パターン、および左方向第４減少パターンのうちから１つの左方向減少パターンを選択可能である。
【００８０】
左方向第１減少パターンは、中心画素からの横方向における距離に比例して第２補正係数を減少させるパターンである。左方向第２減少パターンは、中心画素近傍領域内の画素については中心画素と同じ第２補正係数とし、左エリア内の他の画素については中心画素近傍領域内で最も左の画素からの横方向における距離に比例して第２補正係数を減少させるパターンである。左方向第３減少パターンは、横方向において中心画素から左辺近傍領域内で最も右の画素までの間にある画素については、中心画素からの横方向における距離に比例して第２補正係数を減少させ、左辺近傍領域内の画素については左辺近傍領域内で最も右の画素と同じ第２補正係数とするパターンである。左方向第４減少パターンは、中心画素近傍領域内の画素については中心画素と同じ第２補正係数とし、横方向において中心画素近傍領域内で最も左の画素から左辺近傍領域内で最も右の画素までの間にある画素については、中心画素近傍領域内で最も左の画素からの横方向における距離に比例して第２補正係数を減少させ、左辺近傍領域内の画素については左辺近傍領域内で最も右の画素と同じ第２補正係数とするパターンである。
【００８１】
左方向減少パターン選択部１３６４３は、左方向減少選択キーが選択されたことを示す情報が入力されると、対象ディスプレイ１０の表示画面１１１の左エリア以外に、上記の４つの左方向減少パターンに対応する左方向減少パターンキーを表示させる。図９に、左方向減少パターンキーを示す。図９のキー４５は、左方向第１減少パターンに対応する左方向第１減少パターンキーであり、キー４６は、左方向第２減少パターンに対応する左方向第２減少パターンキーであり、キー４７は、左方向第３減少パターンに対応する左方向第３減少パターンキーであり、キー４８は、左方向第４減少パターンに対応する左方向第４減少パターンキーである。
【００８２】
左方向減少パターン選択部１３６４３は、リモートコントローラなどの操作によっていずれか１つの左方向減少パターンキーが選択されると、選択された左方向減少パターンキーを示す情報を、左辺第２補正係数設定変更部１３６４４および左エリア第２補正係数設定変更部１３６４５に入力する。
【００８３】
左辺第２補正係数設定変更部１３６４４は、左辺の各画素について共通の第２補正係数を、ユーザに設定させる。たとえば、左辺第２補正係数設定変更部１３６４４は、左方向増加パターンキーを示す情報または左方向減少パターンキーを示す情報が入力されると、対象ディスプレイ１０の表示画面１１１の左エリア以外に、左辺第２補正係数増加キーおよび左辺第２補正係数減少キーを表示させる。そして、リモートコントローラなどの操作によって左辺第２補正係数増加キーが選択されると、第２補正部１３６に入力された色選択キーを示す情報に対応する色の第２補正係数を１％増加させて設定し、左辺第２補正係数減少キーが選択されると、その色の第２補正係数を１％減少させて設定する。
【００８４】
左エリアに含まれる左辺の各画素に共通の第２補正係数は、初期設定では１００％である。左辺第２補正係数設定変更部１３６４４は、左方向増加パターンキーを示す情報が入力されている場合には、１００％以上２００％以下の範囲内で、第２補正係数を設定可能とし、左方向減少パターンキーを示す情報が入力されている場合には、１％以上１００％以下の範囲内で、第２補正係数を設定可能とする。
【００８５】
左エリア第２補正係数設定変更部１３６４５は、左エリアにおける左辺以外の画素についての、第２補正部１３６に入力された色選択キーを示す情報に対応する色の第２補正係数を算出し、設定する。具体的には、左エリア第２補正係数設定変更部１３６４５は、左方向増加パターンキーを示す情報または左方向減少パターンキーを示す情報、および、左辺についての第２補正係数の設定に基づいて、中心についての第２補正係数を１００％に設定して、左エリアにおける左辺以外の画素についての第２補正係数を算出し、設定する。
【００８６】
たとえば、第２補正部１３６に入力された色選択キーを示す情報に対応する色がＲであり、左エリア第２補正係数設定変更部１３６４５に左方向第１減少パターンキーを示す情報が入力され、左辺についての第２補正係数が７０％に設定された場合において、表示画面１１１の横方向における画素数が１３６６であり、表示画面１１１の中心から左辺までの横方向における画素数が６８３であり、中心から左辺に向かって横方向においてｋ（ｋは１以上６８３以下の整数）番目の画素についてのＲの第２補正係数をＬＲｋとするとき、ＬＲ１は１００％であり、ＬＲ６８３は７０％である。そして、ＬＲｋは、（７０−１００）／６８２×（ｋ−１）＋１００［％］となる。なお、左辺についての第２補正係数が１００％に設定された場合は、左エリアのすべての画素について、第２補正係数は１００％に設定されることになる。
【００８７】
左エリア補正実行部１３６４６は、左エリア補正実行部１３６４６に入力された入力画像データに対して、左辺第２補正係数設定変更部１３６４４および左エリア第２補正係数設定変更部１３６４５で設定された第２補正係数に基づいて補正（第２補正）を行う。第２補正は、入力画像データの左エリアに対応する各画素の各色の階調値に、第２補正係数を乗じることによって行われる。なお、第２補正係数を乗じると階調値が２５５を超える場合、左エリア補正実行部１３６４６は、第２補正後の階調値を２５５とする。また、左エリア補正実行部１３６４６は、切捨て、切上げ、または四捨五入によって、階調値に小数点以下の値が生じないようにする。
【００８８】
右エリア補正部１３６５は、右方向増減選択部１３６５１と、右方向増加パターン選択部１３６５２と、右方向減少パターン選択部１３６５３と、右辺第２補正係数設定変更部１３６５４と、右エリア第２補正係数設定変更部１３６５５と、右エリア補正実行部１３６５６とを含む。
【００８９】
右方向増減選択部１３６５１は、表示画面１１１の横方向において、中心画素から右辺に向かうにつれて第２補正係数を増加させるか減少させるかを、ユーザに選択させる。たとえば、右方向増減選択部１３６５１は、右エリア選択キーが選択されたことを示す情報が入力されると、対象ディスプレイ１０の表示画面１１１の右エリア以外に、右方向増加選択キーおよび右方向減少選択キーを表示させ、リモートコントローラなどの操作によって右方向増加選択キーが選択されると、右方向増加選択キーが選択されたことを示す情報を右方向増加パターン選択部１３６５２に入力し、右方向減少選択キーが選択されると、右方向減少選択キーが選択されたことを示す情報を右方向減少パターン選択部１３６５３に入力する。
【００９０】
右方向増加パターン選択部１３６５２は、右エリア内で中心画素から右辺に向かうにつれて第２補正係数を増加させるときの増加のパターン（右方向増加パターン）を、ユーザに選択させる。本実施形態では、右方向第１増加パターン、右方向第２増加パターン、右方向第３増加パターン、および右方向第４増加パターンのうちから１つの右方向増加パターンを選択可能である。
【００９１】
右方向第１増加パターンは、中心画素からの横方向における距離に比例して第２補正係数を増加させるパターンである。右方向第２増加パターンは、中心画素近傍領域内の画素については中心画素と同じ第２補正係数とし、右エリア内の他の画素については中心画素近傍領域内で最も右の画素からの横方向における距離に比例して第２補正係数を増加させるパターンである。ここで、中心画素近傍領域とは、右エリア内において中心画素からの横方向における距離が、所定の長さ（たとえば表示画面１１１の横方向長さの１０％〜２０％）以下となる領域である。右方向第３増加パターンは、横方向において中心画素から右辺近傍領域内で最も左の画素までの間にある画素については、中心画素からの横方向における距離に比例して第２補正係数を増加させ、右辺近傍領域内の画素については右辺近傍領域内で最も左の画素と同じ第２補正係数とするパターンである。ここで、右辺近傍領域とは、右エリア内において右辺からの横方向における距離が、所定の長さ（たとえば表示画面１１１の縦方向長さの１０％〜２０％）以下となる領域である。右方向第４増加パターンは、中心画素近傍領域内の画素については中心画素と同じ第２補正係数とし、横方向において中心画素近傍領域内で最も右の画素から右辺近傍領域内で最も左の画素までの間にある画素については、中心画素近傍領域内で最も右の画素からの横方向における距離に比例して第２補正係数を増加させ、右辺近傍領域内の画素については右辺近傍領域内で最も左の画素と同じ第２補正係数とするパターンである。
【００９２】
右方向増加パターン選択部１３６５２は、右方向増加選択キーが選択されたことを示す情報が入力されると、対象ディスプレイ１０の表示画面１１１の右エリア以外に、上記の４つの右方向増加パターンに対応する右方向増加パターンキーを表示させる。図１０に、右方向増加パターンキーを示す。図１０のキー５１は、右方向第１増加パターンに対応する右方向第１増加パターンキーであり、キー５２は、右方向第２増加パターンに対応する右方向第２増加パターンキーであり、キー５３は、右方向第３増加パターンに対応する右方向第３増加パターンキーであり、キー５４は、右方向第４増加パターンに対応する右方向第４増加パターンキーである。
【００９３】
右方向増加パターン選択部１３６５２は、リモートコントローラなどの操作によっていずれか１つの右方向増加パターンキーが選択されると、選択された右方向増加パターンキーを示す情報を、右辺第２補正係数設定変更部１３６５４および右エリア第２補正係数設定変更部１３６５５に入力する。
【００９４】
右方向減少パターン選択部１３６５３は、右エリア内で中心画素から右辺に向かうにつれて第２補正係数を減少させるときの減少のパターン（右方向減少パターン）を、ユーザに選択させる。本実施形態では、右方向第１減少パターン、右方向第２減少パターン、右方向第３減少パターン、および右方向第４減少パターンのうちから１つの右方向減少パターンを選択可能である。
【００９５】
右方向第１減少パターンは、中心画素からの横方向における距離に比例して第２補正係数を減少させるパターンである。右方向第２減少パターンは、中心画素近傍領域内の画素については中心画素と同じ第２補正係数とし、右エリア内の他の画素については中心画素近傍領域内で最も右の画素からの横方向における距離に比例して第２補正係数を減少させるパターンである。右方向第３減少パターンは、横方向において中心画素から右辺近傍領域内で最も左の画素までの間にある画素については、中心画素からの横方向における距離に比例して第２補正係数を減少させ、右辺近傍領域内の画素については右辺近傍領域内で最も左の画素と同じ第２補正係数とするパターンである。右方向第４減少パターンは、中心画素近傍領域内の画素については中心画素と同じ第２補正係数とし、横方向において中心画素近傍領域内で最も右の画素から右辺近傍領域内で最も左の画素までの間にある画素については、中心画素近傍領域内で最も右の画素からの横方向における距離に比例して第２補正係数を減少させ、右辺近傍領域内の画素については右辺近傍領域内で最も左の画素と同じ第２補正係数とするパターンである。
【００９６】
右方向減少パターン選択部１３６５３は、右方向減少選択キーが選択されたことを示す情報が入力されると、対象ディスプレイ１０の表示画面１１１の右エリア以外に、上記の４つの右方向減少パターンに対応する右方向減少パターンキーを表示させる。図１１に、右方向減少パターンキーを示す。図１１のキー５５は、右方向第１減少パターンに対応する右方向第１減少パターンキーであり、キー５６は、右方向第２減少パターンに対応する右方向第２減少パターンキーであり、キー５７は、右方向第３減少パターンに対応する右方向第３減少パターンキーであり、キー５８は、右方向第４減少パターンに対応する右方向第４減少パターンキーである。
【００９７】
右方向減少パターン選択部１３６５３は、リモートコントローラなどの操作によっていずれか１つの右方向減少パターンキーが選択されると、選択された右方向減少パターンキーを示す情報を、右辺第２補正係数設定変更部１３６５４および右エリア第２補正係数設定変更部１３６５５に入力する。
【００９８】
右辺第２補正係数設定変更部１３６５４は、右辺の各画素について共通の第２補正係数を、ユーザに設定させる。たとえば、右辺第２補正係数設定変更部１３６５４は、右方向増加パターンキーを示す情報または右方向減少パターンキーを示す情報が入力されると、対象ディスプレイ１０の表示画面１１１の右エリア以外に、右辺第２補正係数増加キーおよび右辺第２補正係数減少キーを表示させる。そして、リモートコントローラなどの操作によって右辺第２補正係数増加キーが選択されると、第２補正部１３６に入力された色選択キーを示す情報に対応する色の第２補正係数を１％増加させて設定し、右辺第２補正係数減少キーが選択されると、その色の第２補正係数を１％減少させて設定する。
【００９９】
右エリアに含まれる右辺の各画素に共通の第２補正係数は、初期設定では１００％である。右辺第２補正係数設定変更部１３６５４は、右方向増加パターンキーを示す情報が入力されている場合には、１００％以上２００％以下の範囲内で、第２補正係数を設定可能とし、右方向減少パターンキーを示す情報が入力されている場合には、１％以上１００％以下の範囲内で、第２補正係数を設定可能とする。
【０１００】
右エリア第２補正係数設定変更部１３６５５は、右エリアにおける右辺以外の画素についての、第２補正部１３６に入力された色選択キーを示す情報に対応する色の第２補正係数を算出し、設定する。具体的には、右エリア第２補正係数設定変更部１３６５５は、右方向増加パターンキーを示す情報または右方向減少パターンキーを示す情報、および、右辺についての第２補正係数の設定に基づいて、中心についての第２補正係数を１００％に設定して、右エリアにおける右辺以外の画素についての第２補正係数を算出し、設定する。
【０１０１】
たとえば、第２補正部１３６に入力された色選択キーを示す情報に対応する色がＲであり、右エリア第２補正係数設定変更部１３６５５に右方向第１減少パターンキーを示す情報が入力され、右辺についての第２補正係数が６０％に設定された場合において、表示画面１１１の横方向における画素数が１３６６であり、表示画面１１１の中心から右辺までの横方向における画素数が６８３であり、中心から右辺に向かって横方向においてｋ（ｋは１以上６８３以下の整数）番目の画素についてのＲの第２補正係数をＲＲｋとするとき、ＲＲ１は１００％であり、ＲＲ６８３は６０％である。そして、ＲＲｋは、（６０−１００）／６８２×（ｋ−１）＋１００［％］となる。なお、右辺についての第２補正係数が１００％に設定された場合は、右エリアのすべての画素について、第２補正係数は１００％に設定されることになる。
【０１０２】
右エリア補正実行部１３６５６は、右エリア補正実行部１３６５６に入力された入力画像データに対して、右辺第２補正係数設定変更部１３６５４および右エリア第２補正係数設定変更部１３６５５で設定された第２補正係数に基づいて補正（第２補正）を行う。第２補正は、入力画像データの右エリアに対応する各画素の各色の階調値に、第２補正係数を乗じることによって行われる。なお、第２補正係数を乗じると階調値が２５５を超える場合、右エリア補正実行部１３６５６は、第２補正後の階調値を２５５とする。また、右エリア補正実行部１３６５６は、切捨て、切上げ、または四捨五入によって、階調値に小数点以下の値が生じないようにする。
【０１０３】
画像表示制御部１３７は、制御部１３に記憶されている画像データまたはディスプレイ１０の外部から入力された画像データに対して、従来公知の種々の補正や、第１補正係数および第２補正係数による補正を行って、画像を表示させる。以下のように第１補正係数および第２補正係数を設定した後、画像表示制御部１３７によって各ディスプレイ１０に画像を表示させることで、各ディスプレイ１０間での色調のばらつきを少なくすることができる。
【０１０４】
以下に、第１補正係数および第２補正係数の設定方法を説明する。図１２は、本発明に係る第１補正係数および第２補正係数の設定方法を示すフローチャートである。マルチディスプレイシステム１において、各ディスプレイ１０間での色調のばらつきを少なくするためには、ＲＧＢすべてについて調整を行う必要がある。まず、Ｒの調整について説明する。
【０１０５】
ステップＳ１において、ユーザは、色調調整キーを選択した後、赤色選択キーを選択する。赤色選択キーが選択されると、サンプル画像表示制御部１３３によって、Ｒの明るさを調整するためのサンプル画像が、各ディスプレイ１０の表示画面１１１に表示される。
【０１０６】
ステップＳ２において、ユーザは、第１補正選択キーを選択した後、第１補正係数増加キーまたは第１補正係数減少キーを選択して、各ディスプレイ１０の表示画面１１１の中心部におけるＲの明るさが揃うように、第１補正係数を調整する。第１補正係数が変更されるたびに、サンプル画像表示制御部１３３は、変更された第１補正係数に基づいてサンプル画像を表示する。第１補正係数の調整は、各ディスプレイ１０の表示画面１１１の中心部をユーザが見比べることで行ってもよいし、各ディスプレイ１０の表示画面１１１の中心部に色彩計を設置して、色彩計による計測値が揃うように行ってもよい。このようなステップＳ２によって各ディスプレイ１０の表示画面１１１の中心間でＲの明るさが揃うように、第１補正係数が設定される。第１補正係数を調整し終えたら、色調の調整を一旦終了する。
【０１０７】
ステップＳ３において、ユーザは、再度、色調調整キーを選択した後、赤色選択キーを選択する。赤色選択キーが選択されると、サンプル画像表示制御部１３３によって、Ｒの明るさを調整するためのサンプル画像が、各ディスプレイ１０の表示画面１１１に表示される。
【０１０８】
ステップＳ４において、ユーザは、目視によって、各ディスプレイ１０の表示画面１１１の隣接する端部間において、Ｒの明るさにずれが生じているか否かを確認する。たとえば、左右に隣接するディスプレイ１０Ａ，１０Ｂにおいて、左側のディスプレイ１０Ａの右辺と、右側のディスプレイ１０Ｂの左辺との間において、Ｒの明るさにずれが生じているか否かを目視で確認する。
【０１０９】
図１３Ａに、ディスプレイ１０Ａの右辺とディスプレイ１０Ｂの左辺との間において、Ｒの明るさにずれがある場合の、ディスプレイ１０Ａの表示画面１１１とディスプレイ１０Ｂの表示画面１１１とを示す。図１３Ａにおいて、ドットの密度が高い箇所はＲの明るさが大きい箇所を表し、ドットの密度が低い箇所はＲの明るさが小さい箇所を表している。図１３Ａでは、ディスプレイ１０Ａの表示画面１１１の右辺近傍の部分は、ディスプレイ１０Ｂの表示画面１１１の左辺近傍よりも、Ｒの明るさが大きくなっている。このように明るさの相違が生じるのは、ディスプレイ１０Ａ，１０Ｂの表示画面１１１内において色調の偏りがそれぞれ存在するからである。
【０１１０】
図１３Ａのように、ステップＳ４においてＲの明るさにずれが確認されたとき、ステップＳ５において、ユーザは、第２補正選択キーを選択した後、調整対象のサブエリアに対応するキーを選択する。ここでは、ディスプレイ１０Ａの右辺におけるＲの明るさとディスプレイ１０Ｂの左辺におけるＲの明るさとがずれており、そのずれをなくす必要があるので、ユーザは、ディスプレイ１０Ａを対象ディスプレイ１０として右エリア選択キーを選択するか、または、ディスプレイ１０Ｂを対象ディスプレイ１０として左エリア選択キーを選択する。以下では、ユーザは、ディスプレイ１０Ａを対象ディスプレイ１０として右エリア選択キーを選択したとして説明する。
【０１１１】
ステップＳ６において、ユーザは、右方向増加選択キーまたは右方向減少選択キーを選択する。ここでは、ディスプレイ１０Ａの右辺におけるＲの明るさが、ディスプレイ１０Ｂの左辺におけるＲの明るさよりも大きいので、ユーザは、右方向減少選択キーを選択する。
【０１１２】
ステップＳ７において、ユーザは、図１１に示したような右方向減少パターンキーを選択する。ディスプレイ１０Ａの表示画面１１１の右エリアにおいて、中心から右に向かうにつれて徐々にＲの明るさが大きくなっている場合には、右方向第１減少パターンキーを選択する。ディスプレイ１０Ａの表示画面１１１の右エリアにおいて、中心近傍は一定の明るさで、中心近傍から右に向かうにつれて徐々にＲの明るさが大きくなっている場合には、右方向第２減少パターンキーを選択する。ディスプレイ１０Ａの表示画面１１１の右エリアにおいて、右辺近傍は一定の明るさで、中心から右辺近傍に向かうにつれて徐々にＲの明るさが大きくなっている場合には、右方向第３減少パターンキーを選択する。ディスプレイ１０Ａの表示画面１１１の右エリアにおいて、中心近傍および右辺近傍は一定の明るさで、中心近傍から右辺近傍に向かうにつれて徐々にＲの明るさが大きくなっている場合には、右方向第４減少パターンキーを選択する。いずれにも当てはまらない場合は、最も近いものを選択する。以下では、ユーザは、右方向第４減少パターンキーを選択したとして説明する。
【０１１３】
ステップＳ８において、ユーザは、右辺第２補正係数増加キーまたは右辺第２補正係数減少キーを選択して、ディスプレイ１０Ａの表示画面１１１の右辺におけるＲの明るさがディスプレイ１０Ｂの表示画面１１１の左辺におけるＲの明るさに揃うように、この右辺における第２補正係数を調整する。第２補正係数が変更されるたびに、右エリア第２補正係数設定変更部１３６５５は、右エリアの右辺以外の画素についての第２補正係数を算出および設定し、サンプル画像表示制御部１３３は、右エリアについての変更後の第２補正係数に基づいてサンプル画像を表示する。第２補正係数の調整は、ディスプレイ１０Ａの表示画面１１１の右辺とディスプレイ１０Ｂの表示画面１１１の左辺とをユーザが見比べることで行ってもよいし、ディスプレイ１０Ａの表示画面１１１の右辺とディスプレイ１０Ｂの表示画面１１１の左辺とに色彩計を設置して、色彩計による計測値が揃うように行ってもよい。このようなステップＳ８によって、ディスプレイ１０Ａの表示画面１１１の右辺におけるＲの明るさとディスプレイ１０Ｂの表示画面１１１の左辺におけるＲの明るさとが揃うように、この右辺についての第２補正係数が設定され、それに伴って、右エリアにおける右辺以外の画素についての第２補正係数が設定される。
【０１１４】
図１３Ｂに、第２補正係数の調整後のディスプレイ１０Ａの表示画面１１１と、ディスプレイ１０Ｂの表示画面１１１とを示す。図１３Ｂでは、ディスプレイ１０Ａの表示画面１１１の中心におけるＲの明るさとディスプレイ１０Ｂの表示画面１１１の中心におけるＲの明るさとが揃い、かつ、ディスプレイ１０Ａの表示画面１１１の右辺におけるＲの明るさとディスプレイ１０Ｂの表示画面１１１の左辺におけるＲの明るさとが揃っている。このように調整することで、ディスプレイ１０Ａとディスプレイ１０Ｂとの間における、Ｒの明るさの相違を少なくすることができる。
【０１１５】
なお、上記の例では、ディスプレイ１０Ａの右エリアの第２補正係数を調整したが、その代わりに、ディスプレイ１０Ｂの左エリアの第２補正係数を調整してもよい。また、ディスプレイ１０Ａは、ディスプレイ１０Ｄと上下に隣接しているので、ディスプレイ１０Ａの表示画面１１１の下辺におけるＲの明るさと、ディスプレイ１０Ｄの表示画面１１１の上辺におけるＲの明るさとがずれている場合には、そのずれをなくす必要がある。このような場合には、ディスプレイ１０Ａの下エリアの第２補正係数を調整してもよいし、ディスプレイ１０Ｄの上エリアの第２補正係数を調整してもよい。
【０１１６】
以上のようなステップＳ１〜ステップＳ８によって、Ｒについての第１補正係数および第２補正係数を調整し終えたら、同様にして、Ｇについての第１補正係数および第２補正係数ならびにＢについての第１補正係数および第２補正係数を調整する。すべての調整が終われば、ＲＧＢすべての色について、各ディスプレイ１０の表示画面１１１の中心部および端部の両方において、明るさのずれが少なくなる。
【０１１７】
このようなマルチディスプレイシステム１によれば、表示画面１１１の中心部における色調の調整と、端部における色調の調整とをそれぞれ行うことができ、違和感の少ない大画像を表示することができる。さらに、中心部と端部との間における色調の調整は、パターンを選択することで、ディスプレイ１０自身が行うので、表示画面１１１全体の色調の調整を容易に行うことができる。
【０１１８】
なお、上記の実施形態では、表示画面１１１に表示される各種のキーを選択することで色調の調整を行っているが、リモートコントローラなどに設けられる各種のキーを選択することで、色調の調整が行われるようにしてもよい。
【符号の説明】
【０１１９】
１  マルチディスプレイシステム
１０，１０Ａ，１０Ｂ，１０Ｃ，１０Ｄ，１０Ｅ，１０Ｆ，１０Ｇ，１０Ｈ，１０Ｉ  ディスプレイ
１１  表示部
１２  バックライトユニット
１３  制御部
１１１  表示画面
１３１  色調調整選択部
１３２  調整対象色選択部
１３３  サンプル画像表示制御部
１３４  補正方法選択部
１３５  第１補正部
１３６  第２補正部
１３７  画像表示制御部
【図１】
2013218077.tif 000003
【図２】
2013218077.tif 000004
【図３】
2013218077.tif 000005
【図４】
2013218077.tif 000006
【図５】
2013218077.tif 000007
【図６】
2013218077.tif 000008
【図７】
2013218077.tif 000009
【図８】
2013218077.tif 000010
【図９】
2013218077.tif 000011
【図１０】
2013218077.tif 000012
【図１１】
2013218077.tif 000013
【図１２】
2013218077.tif 000014
【図１３Ａ】
2013218077.tif 000015
【図１３Ｂ】
2013218077.tif 000016